(57)【特許請求の範囲】
【請求項１】
頭部を十分に覆う程度の面積を有する三つ以上の略矩形の第１金属板と、
これらの第１金属板の周囲が相互にはみ出さないように重ね合わせできると共に、先頭の前記第１金属板から末端の前記第１金属板を平面上に同列に展開したときに、先頭側の前記第１金属板の端縁部が末端側の前記第１金属板の端縁部の上に重なるように、複数の前記第１金属板を繋留する一対の屈曲自在な紐状部材と、
先頭の前記第１金属板の端部に取り付けられた屈曲自在な第１取っ手と、を備え、
先頭の前記第１金属板は、前記第１取っ手を把持して先頭の前記第１金属板を頭部に搭載したときに、当該第１取っ手と反対側が首部を覆うように自重で撓む程度の弾性板からなり、
先頭の前記第１金属板に繋留された次の前記第１金属板から末端の前記第１金属板に亘り、背中を覆うように垂下できる防災用具。
【請求項２】
先頭の前記第１金属板に繋留された次の前記第１金属板から末端の前記第１金属板は、硬質で軽量の剛性板からなる請求項１記載の防災用具。
【請求項３】
前記剛性板がジュラルミンからなる請求項２記載の防災用具。
【請求項４】
請求項１から３のいずれかに記載の防災用具を収容可能な専用の有底のケースを備える防災用具。
【請求項５】
前記ケースは、一端側が開口し、先頭の前記第１金属板が取り出し容易な切り欠きを一方の側面の上部に有する請求項４記載の防災用具。
【請求項６】
頭部を十分に覆う程度の面積を有する三つ以上の略矩形の第１金属板と、
これらの第１金属板の周囲が相互にはみ出さないように重ね合わせできると共に、先頭の前記第１金属板から末端の前記第１金属板を平面上に同列に展開したときに、先頭側の前記第１金属板の端縁部が末端側の前記第１金属板の端縁部の上に重なるように、複数の前記第１金属板を繋留する一対の屈曲自在な紐状部材と、
先頭の前記第１金属板の中央部に取り付けられた屈曲自在な顎紐と、
先頭の前記第１金属板から末端の前記第１金属板を平面上に同列に展開したときに、肩部に対向する前記第１金属板に取り付けられた一対の屈曲自在な肩掛け紐と、を備え、
先頭の前記第１金属板は、前記顎紐を顎部に係止して先頭の前記第１金属板を頭部に搭載したときに、当該顎紐と反対側が首部を覆うように自重で撓む程度の弾性板からなり、
先頭の前記第１金属板に繋留された次の前記第１金属板から末端の前記第１金属板に亘り、背中を覆うように垂下できる防災用具。
【請求項７】
頭部を十分に覆う程度の面積を有する三つ以上の略矩形の強化プラスチック板と、
これらの強化プラスチック板の一方の面に、周囲からはみ出さないように貼着された浮力を有する緩衝板と、
これらの強化プラスチック板及び緩衝板の周囲が相互にはみ出さないように重ね合わせできると共に、先頭の前記強化プラスチック板から末端の前記強化プラスチック板を平面上に同列に展開したときに、先頭側の前記緩衝板の端縁部が末端側の前記強化プラスチック板の端縁部の上に重なるように、複数の前記強化プラスチック板を繋留する一対の屈曲自在な紐状部材と、
先頭の前記強化プラスチック板の端部に取り付けられた屈曲自在な第２取っ手と、を備え、
先頭の前記強化プラスチック板は、前記第２取っ手を把持して先頭の前記緩衝板を頭部に搭載したときに、当該第２取っ手と反対側が首部を覆うように自重で撓む程度の弾性板からなり、
先頭の前記強化プラスチック板に繋留された次の前記強化プラスチック板から末端の前記強化プラスチック板に亘り、前記緩衝板が背中に略当接した状態で、背中を覆うように垂下できる防災用具。
【請求項８】
先頭の前記緩衝板は、頭部に載置可能な窪み部を有する請求項７記載の防災用具。
【請求項９】
頭部を十分に覆う程度の面積を有する三つの略矩形の第１金属板と、
これらの第１金属板の周囲が相互にはみ出さないように重ね合わせできると共に、先頭の前記第１金属板から末端の前記第１金属板を平面上に同列に展開したときに、先頭側の前記第１金属板の端縁部が末端側の前記第１金属板の端縁部の上に重なるように、中間の前記第１金属板に設けられ、先頭側の前記第１金属板及び末端側の前記第１金属板をスライド可能に案内する一対一組のガイドピンと、
先頭の前記第１金属板の端部に取り付けられた屈曲自在な第１取っ手と、を備え、
先頭の前記第１金属板及び末端の前記第１金属板は、所定の距離に離間した一対の前記ガイドピンに案内される一対の長穴を両翼に有し、
先頭の前記第１金属板は、前記第１取っ手を把持して先頭の前記第１金属板を頭部に搭載したときに、当該第１取っ手と反対側が首部を覆うように自重で撓む程度の弾性板からなり、
先頭の前記第１金属板に繋留された次の前記第１金属板から末端の前記第１金属板に亘り、背中を覆うように垂下できる防災用具。
【発明の詳細な説明】
【技術分野】
【０００１】
本発明は、防災用具に関する。特に、通常は、複数の金属板を折り畳んでカバンなどの携帯用具に収容でき、地震などの非常時には、複数の金属板を展開して、建築材の破片などの落下物から頭部及び背中を保護する防災用具の構造に関する。
【背景技術】
【０００２】
例えば、通勤又は通学などで屋外に居たときに、大地震に遭遇した場合は、付近の建物からガラスの破片や壁材の破片が落下してくる危険があるので、ヘルメットを被って頭部を保護することが好ましい。しかし、一般的なヘルメットは、その容積が大きいことから、常に携帯するには不便であり、着用が義務付けられた自動二輪車の運転中、又は特定の職業の者の勤務中などに使用が限定されていた。
【０００３】
したがって、大地震などの災害に遭遇した場合に備えて、所持品と共にカバンなどに容易に収納できることによって、携帯することができ、かつ、使用時には即座に帽体形状に展開できる携帯用頭部保護帽子が開示されている（例えば、特許文献１参照）。
【０００４】
特許文献１による携帯用頭部保護帽子は、長手方向に沿って湾曲した硬質板が重ね合わされた複数の短冊状部材と、これらの短冊状部材の長手方向の両端部に設けた挿通部に挿通されると共に、複数の短冊状部材を回転可能に連結する連結具と、を備え、複数の短冊状部材を互いに重ね合わされた状態で折り畳むことができ、複数の短冊状部材が連結具を支点として互い回転してその位置を順次ずらした状態に開かれることで、頭部を覆う略半球形状の帽体に展開されるように構成している。
【先行技術文献】
【特許文献】
【０００５】
【特許文献１】特開２００７−９２１９８号公報
【発明の概要】
【発明が解決しようとする課題】
【０００６】
特許文献１による携帯用頭部保護帽子は、複数の短冊状部材を互いに重ね合わせてコンパクトに畳めるので、ランドセルやハンドバッグなどに入れて携帯できる、としている。
【０００７】
しかしながら、特許文献１による携帯用頭部保護帽子は、複数の短冊状部材を互いに重ね合わせても、長手方向に沿って湾曲した形状は維持しているので、ランドセルに教科書などの図書を収納することは困難であり、ハンドバッグも大型でないと、他の所持品を収納することは困難である。所持品と共にカバンなどに容易に収納できるように、平坦に折り畳める防災用具が求められている。
【０００８】
又、特許文献１による携帯用頭部保護帽子は、頭部を保護することができるが、大地震で散乱するように落下してくる破片に対して、脊椎を覆う首部及び背中を保護することは困難である。一般に、前方から落下してくる破片に対しては、避けることも可能であるが、背後から落下してくる破片に対しては、避けることが困難であり、頭部から背中に亘り保護できる防災用具が求められている。そして、以上のことが本発明の課題といってよい。
【０００９】
本発明は、このような課題に鑑みてなされたものであり、カバンなどの携帯用具に折り畳んで収容でき、カバンなどの携帯用具から取り出して、複数の金属板を直に展開して、頭部から背中に亘り保護できる防災用具を提供することを目的とする。
【課題を解決するための手段】
【００１０】
本発明者は、平坦に折り畳むことができるように、複数の矩形の金属板の一部を連結可能に構成すると共に、これらの金属板を展開したときに、頭部及び首部を覆う先頭の金属板を自重で撓む程度の弾性板で形成し、先頭の金属板に連結する他の金属板が背中を覆うように垂下することにより、この課題が解決可能であると考え、これに基づいて、以下のような新たな防災用具を発明するに至った。
【００１１】
（１）本発明による防災用具は、頭部を十分に覆う程度の面積を有する三つ以上の略矩形の第１金属板と、これらの第１金属板の周囲が相互にはみ出さないように重ね合わせできると共に、先頭の前記第１金属板から末端の前記第１金属板を平面上に同列に展開したときに、先頭側の前記第１金属板の端縁部が末端側の前記第１金属板の端縁部の上に重なるように、複数の前記第１金属板を繋留する一対の屈曲自在な紐状部材と、先頭の前記第１金属板の端部に取り付けられた屈曲自在な第１取っ手と、を備え、先頭の前記第１金属板は、前記第１取っ手を把持して先頭の前記第１金属板を頭部に搭載したときに、当該第１取っ手と反対側が首部を覆うように自重で撓む程度の弾性板からなり、先頭の前記第１金属板に繋留された次の前記第１金属板から末端の前記第１金属板に亘り、背中を覆うように垂下できる。
【００１２】
（２）先頭の前記第１金属板に繋留された次の前記第１金属板から末端の前記第１金属板は、硬質で軽量の剛性板からなることが好ましい。
【００１３】
（３）前記剛性板がジュラルミンからなることが好ましい。
【００１４】
（４）本発明による防災用具は、防災用具を収容可能な専用の有底のケースを備えることが好ましい。
【００１５】
（５）前記ケースは、一端側が開口し、先頭の前記第１金属板が取り出し容易な切り欠きを一方の側面の上部に有することが好ましい。
【００１６】
（６）本発明による防災用具は、頭部を十分に覆う程度の面積を有する三つ以上の略矩形の第１金属板と、これらの第１金属板の周囲が相互にはみ出さないように重ね合わせできると共に、先頭の前記第１金属板から末端の前記第１金属板を平面上に同列に展開したときに、先頭側の前記第１金属板の端縁部が末端側の前記第１金属板の端縁部の上に重なるように、複数の前記第１金属板を繋留する一対の屈曲自在な紐状部材と、先頭の前記第１金属板の中央部に取り付けられた屈曲自在な顎紐と、先頭の前記第１金属板から末端の前記第１金属板を平面上に同列に展開したときに、肩部に対向する前記第１金属板に取り付けられた一対の屈曲自在な肩掛け紐と、を備え、先頭の前記第１金属板は、前記顎紐を顎部に係止して先頭の前記第１金属板を頭部に搭載したときに、当該顎紐と反対側が首部を覆うように自重で撓む程度の弾性板からなり、先頭の前記第１金属板に繋留された次の前記第１金属板から末端の前記第１金属板に亘り、背中を覆うように垂下できる。
【００１７】
（７）本発明による防災用具は、頭部を十分に覆う程度の面積を有する三つ以上の略矩形の強化プラスチック板と、これらの強化プラスチック板の一方の面に、周囲からはみ出さないように貼着された浮力を有する緩衝板と、これらの強化プラスチック板及び緩衝板の周囲が相互にはみ出さないように重ね合わせできると共に、先頭の前記強化プラスチック板から末端の前記強化プラスチック板を平面上に同列に展開したときに、先頭側の前記緩衝板の端縁部が末端側の前記強化プラスチック板の端縁部の上に重なるように、複数の前記強化プラスチック板を繋留する一対の屈曲自在な紐状部材と、先頭の前記強化プラスチック板の端部に取り付けられた屈曲自在な第２取っ手と、を備え、先頭の前記強化プラスチック板は、前記第２取っ手を把持して先頭の前記緩衝板を頭部に搭載したときに、当該第２取っ手と反対側が首部を覆うように自重で撓む程度の弾性板からなり、先頭の前記強化プラスチック板に繋留された次の前記強化プラスチック板から末端の前記強化プラスチック板に亘り、前記緩衝板が背中に略当接した状態で、背中を覆うように垂下できる。
【００１８】
（８）先頭の前記緩衝板は、頭部に載置可能な窪み部を有することが好ましい。
【００１９】
（９）本発明による防災用具は、頭部を十分に覆う程度の面積を有する三つの略矩形の第１金属板と、これらの第１金属板の周囲が相互にはみ出さないように重ね合わせできると共に、先頭の前記第１金属板から末端の前記第１金属板を平面上に同列に展開したときに、先頭側の前記第１金属板の端縁部が末端側の前記第１金属板の端縁部の上に重なるように、中間の前記第１金属板に設けられ、先頭側の前記第１金属板及び末端側の前記第１金属板をスライド可能に案内する一対一組のガイドピンと、先頭の前記第１金属板の端部に取り付けられた屈曲自在な第１取っ手と、を備え、先頭の前記第１金属板及び末端の前記第１金属板は、所定の距離に離間した一対の前記ガイドピンに案内される一対の長穴を両翼に有し、先頭の前記第１金属板は、前記第１取っ手を把持して先頭の前記第１金属板を頭部に搭載したときに、当該第１取っ手と反対側が首部を覆うように自重で撓む程度の弾性板からなり、先頭の前記第１金属板に繋留された次の前記第１金属板から末端の前記第１金属板に亘り、背中を覆うように垂下できる。
【００２０】
（１０）頭部を覆う程度の幅を有する四つの帯状の第２金属板と、これらの第２金属板の周囲が相互にはみ出さないように重ね合わせできると共に、これらの第２金属板が十字状に展開できるように、これらの第２金属板の端部同士を回転自在に連結する連結ピンと、前記連結ピンと反対側に配置され、最上層の前記第２金属板の端部に取り付けられた屈曲自在な第３取っ手と、を備え、前記第３取っ手を把持して、前記連結ピンが頭部の略中心に位置するように、四つの前記第２金属板を十字状に展開して頭部に搭載したときに、中間の一対の前記第２金属板が両肩を覆う程度の長さを有し、最上層の前記第２金属板と相反する向きに向かう前記第２金属板が首部及び背中を覆う。
【００２１】
（１１）最上層の前記第２金属板は、前記第３取っ手を把持して、四つの前記第２金属板を十字状に展開したときに、最上層以外の前記第２金属板の重量で撓む程度の弾性板からなることが好ましい。
【００２２】
（１２）四つの前記第２金属板が十字状に展開した状態を維持できるように、一方の前記第２金属板は、他方の前記第２金属板に向けて隆起した半球状の突起を有し、他方の前記第２金属板は、前記突起が嵌合可能な係止穴を開口していることが好ましい。
【００２３】
（１３）本発明による防災用具は、首部を覆う程度の面積を有する矩形の中央板と、この中央板の両翼に開閉自在に連結し、前記中央板から周囲がはみ出さないように当該中央板に重ね合わせできると共に、当該中央板に対して開いた状態では、両肩を覆う程度の面積を有する一対の矩形の第１開閉板と、前記中央板の一方の端部に開閉自在に連結し、前記中央板から周囲がはみ出さないように当該中央板に重ね合わせできると共に、当該中央板に対して開いた状態では、背中を部分的に覆う程度の面積を有する矩形の第２開閉板と、前記中央板に対して一対の前記第１開閉板及び前記第２開閉板が開く力を付勢すると共に、前記中央板と同じ平面になるように、一対の前記第１開閉板及び前記第２開閉板が略水平に開いた状態を維持する複数のストッパ付きスプリング蝶番と、前記中央板の他方の端部に回転自在及びスライド自在に連結し、頭部を覆う程度の面積を有する矩形のスライド板と、を備え、前記中央板は、前記スライド板の両側縁をスライド可能に案内する溝を設けた一対の案内部材と、これらの案内部材を対向するよう配置し、当該案内部材を回転自在に支持する支持片と、を他方の端部に有し、前記スライド板は、一方の端部に設けられ、一対の前記案内部材に当接して移動が停止される停止片と、他方の端部に取り付けられた第４取っ手と、を有し、前記第４取っ手を把持して、前記スライド板を前記中央板に対して略１８０度以上の所定の角度に開き、前記スライド板を頭部に搭載すると共に、前記中央板に対して一対の前記第１開閉板及び前記第２開閉板が略水平に開いた状態で首部及び背中を覆う。
【００２４】
（１４）前記第２開閉板は、前記スライド板の板厚程度の間隙を設けたラチェット部材を前記第１開閉板と当接する反対面に有し、前記スライド板は、他方の端部から突出し、前記ラチェット部材に挿入可能なロック片を有し、前記第２開閉板が一対の前記第１開閉板の上に重なるように当該第２開閉板を閉じた状態で、前記第３取っ手を把持して、前記スライド板が前記第２開閉板に重なるように回動すると共に、前記スライド板をスライドして前記ロック片を前記ラチェット部材に係止可能なことが好ましい。
【発明の効果】
【００２５】
本発明による防災用具は、頭部を十分に覆う程度の面積を有する三つ以上の略矩形の第１金属板を備え、これらの第１金属板の周囲が相互にはみ出さないように、平坦に重ね合わせできるので、所持品と共にカバンなどに容易に収納できる。又、本発明による防災用具は、第１取っ手を把持して先頭の第１金属板を引き上げれば、先頭側の第１金属板の端縁部が末端側の第１金属板の端縁部の上に重なるように、直ちに展開できる。そして、第１取っ手を把持して先頭の第１金属板を頭部に搭載したときに、先頭の第１金属板に繋留された次の第１金属板から末端の第１金属板に亘り、背中を覆うように垂下できる。
【００２６】
又、本発明による防災用具は、頭部を覆う程度の幅を有する四つの帯状の第２金属板を備え、これらの第２金属板の周囲が相互にはみ出さないように、平坦に重ね合わせできるので、図書と共にランドセルなどに容易に収納できる。又、本発明による防災用具は、四つの第２金属板を十字状に展開して頭部に搭載したときに、中間の一対の第２金属板が両肩を覆う程度の長さを有し、最上層の第２金属板と相反する向きに向かう第２金属板が首部及び背中を覆うことができる。
【図面の簡単な説明】
【００２７】
【図１】本発明の第１実施形態による防災用具の使用状態を示す斜視図である。
【図２】第１実施形態による防災用具の斜視図であり、四つの第１金属板を展開して一列に垂下した状態図である。
【図３】第１実施形態による防災用具の斜視図であり、四つの第１金属板を積み重ねた状態図である。
【図４】第１実施形態による防災用具の斜視図であり、四つの第１金属板を展開して互いに離間した状態図である。
【図５】第１実施形態による防災用具の斜視図であり、四つの第１金属板を展開して一列に垂下した状態を図２と異なる方向から観ている。
【図６】第１実施形態による防災用具を収容可能なケースの斜視図である。
【図７】本発明の第２実施形態による防災用具の使用状態を示す斜視図である。
【図８】第２実施形態による防災用具の斜視図であり、四つの第１金属板を展開して一列に垂下した状態図である。
【図９】本発明の第３実施形態による防災用具の斜視図であり、四つの強化プラスチック板を展開して一列に垂下した状態図である。
【図１０】第３実施形態による防災用具の斜視図であり、四つの強化プラスチック板を展開して互いに離間した状態図である。
【図１１】第３実施形態による防災用具の斜視図であり、四つの強化プラスチック板を展開して一列に垂下した状態を図９と異なる方向から観ている。
【図１２】本発明の第４実施形態による防災用具の使用状態を示す斜視図である。
【図１３】第４実施形態による防災用具の斜視図であり、三つの第１金属板を展開して一列に垂下した状態図である。
【図１４】第４実施形態による防災用具の斜視図であり、三つの第１金属板を積み重ねた状態図である。
【図１５】第４実施形態による防災用具の斜視図であり、三つの第１金属板を展開して一列に垂下した状態を図１３と異なる方向から観ている。
【図１６】本発明の第５実施形態による防災用具の使用状態を示す斜視図である。
【図１７】第５実施形態による防災用具の斜視図であり、四つの第２金属板を展開して十字状に配置した状態図である。
【図１８】第５実施形態による防災用具の斜視分解組立図であり、四つの第２金属板を展開して十字状に配置した状態図である。
【図１９】第５実施形態による防災用具の斜視図であり、四つの第２金属板を積み重ねた状態図である。
【図２０】本発明の第６実施形態による防災用具の使用状態を示す斜視図である。
【図２１】第６実施形態による防災用具の斜視図であり、中央板に対して、一対の第１開閉板、第２開閉板、及びスライド板を開いて十字状に配置した状態図である。
【図２２】第６実施形態による防災用具の平面図であり、中央板に対して、一対の第１開閉板、第２開閉板、及びスライド板を開いて十字状に配置した状態図である。
【図２３】図２２のＸ−Ｘ矢視断面図である。
【図２４】第６実施形態による防災用具に備わる中央板に対して、一対の第１開閉板、第２開閉板、及びスライド板を閉じた状態図であり、図２４（Ａ）は、第６実施形態による防災用具の平面図、図２４（Ｂ）は、第６実施形態による防災用具の正面図、図２４（Ｃ）は、第６実施形態による防災用具の下面図である。
【発明を実施するための形態】
【００２８】
以下、図面を参照して本発明を実施するための形態を説明する。
【００２９】
［第１実施形態］
（防災用具の構成）
最初に、本発明の第１実施形態による防災用具の構成を説明する。図１は、本発明の第１実施形態による防災用具の使用状態を示す斜視図である。図２は、第１実施形態による防災用具の斜視図であり、四つの第１金属板を展開して一列に垂下した状態図である。
【００３０】
図３は、第１実施形態による防災用具の斜視図であり、四つの第１金属板を積み重ねた状態図である。図４は、第１実施形態による防災用具の斜視図であり、四つの第１金属板を展開して互いに離間した状態図である。図５は、第１実施形態による防災用具の斜視図であり、四つの第１金属板を展開して一列に垂下した状態を図２と異なる方向から観ている。
【００３１】
図１から図５を参照すると、本発明の第１実施形態による防災用具１０は、四つの略矩形の第１金属板１ａ・１ｂ・１ｃ・１ｄを備えている。これらの第１金属板１ａ・１ｂ・１ｃ・１ｄは、人間Ｍの頭部Ｈを十分に覆う程度の面積を有している（図１参照）。例えば、図３を参照すると、第１金属板１ａ・１ｂ・１ｃ・１ｄは、幅Ｗ×高さＨ＝約３６ｃｍ×約２８ｃｍの長方形に形成されている。そして、図３を参照すると、第１金属板１ａ・１ｂ・１ｃ・１ｄは、周囲が相互にはみ出さないように重ね合わせできる。
【００３２】
図１から図４を参照すると、防災用具１０は、一対の屈曲自在な紐状部材２・２を備えている。例えば、紐状部材２は、複数のアルミニウム線が筒状に織られた後に平坦に成形された編組線からなり、長手方向に屈曲できる。一対の紐状部材２・２は、先頭の第１金属板１ａから末端の第１金属板１ｄを平面上に同列に展開したときに、先頭側の第１金属板１ａの端縁部が末端側の第１金属板１ｄの端縁部の上に重なるように、四つの第１金属板１ａ・１ｂ・１ｃ・１ｄを繋留している。
【００３３】
図２から図４を参照すると、各第１金属板１ａ・１ｂ・１ｃ・１ｄには、短冊状の止め板１１がリベットでカシメ付けられている。一対の紐状部材２・２は、各第１金属板１ａ・１ｂ・１ｃ・１ｄと止め板１１に挟持されて繋留（部分的に固定）されている。止め板１１と反対側の各第１金属板１ａ・１ｂ・１ｃ・１ｄの面にリベットの頭部が突出しないように、枕頭カシメ付けすることが好ましい。
【００３４】
図１又は図２及び図４を参照すると、防災用具１０は、先頭の第１金属板１ａの端部に取り付けられた第１取っ手３を備えている。例えば、第１取っ手３は、複数のアルミニウム線が筒状に織られた後に平坦に成形された編組線からなり、長手方向に屈曲できる。第１取っ手３は、その中央部が片手で把持できるように、円弧状に湾曲している。又、第１取っ手３の両端部は、先頭の第１金属板１ａにスポット溶接されている。
【００３５】
図１を参照すると、先頭の第１金属板１ａは、第１取っ手３を把持して、先頭の第１金属板１ａを頭部Ｈに搭載したときに、第１取っ手３と反対側が首部Ｎを覆うように自重で撓む程度の弾性板からなることが好ましく、例えば、この弾性板は、アルミニウム板を適用できる。
【００３６】
一方、図１から図５を参照すると、先頭の第１金属板１ａに繋留された次の第１金属板１ｂから末端の第１金属板１ｄは、硬質で軽量の剛性板からなることが好ましく、例えば、この剛性板は、ジュラルミン板を適用できる。
【００３７】
（防災用具の作用）
次に、防災用具１０の使用方法を説明しながら、第１実施形態による防災用具１０の作用及び効果を説明する。
【００３８】
図４に示されるように、四つの第１金属板１ａ・１ｂ・１ｃ・１ｄを展開して互いに離間した状態から、第１金属板１ａ・１ｂ・１ｃ・１ｄの間にある一対の紐状部材２・２をＶ字状に屈曲して、第１金属板１ａ・１ｂ・１ｃ・１ｄを互いに近接すると、図３に示されるように、第１金属板１ａ・１ｂ・１ｃ・１ｄの周囲が相互にはみ出さないように、平坦に重ね合わせできる。そして、所持品と共に図示しないカバンなどに防災用具１０を容易に収納できる。
【００３９】
例えば、通勤又は通学などで屋外に居たときに、大地震に遭遇した場合は、先頭の第１金属板１ａに設けた第１取っ手３を把持して、引き上げることにより、先頭側の第１金属板の端縁部が末端側の第１金属板の端縁部の上に重なるように、直ちに展開できる（図２又は図５参照）。
【００４０】
次に、図１を参照して、第１取っ手３を把持して先頭の第１金属板１ａを頭部Ｈに搭載すると、第１金属板１ａが付近の建物から落下してくる破片から頭部Ｈを保護できる。又、第１金属板１ａが自重で湾曲した部分が首部Ｎを保護できる。更に、先頭の第１金属板１ａに繋留された次の第１金属板１ｂから末端の第１金属板１ｄに亘り、背中Ｂを覆うように垂下できる。
【００４１】
図１に示されるように、第１実施形態による防災用具１０は、先頭側の第１金属板の端縁部が末端側の第１金属板の端縁部の上に重なるように、展開できるので微細な落下物が身体（衣服を含む）側に進入しないという利点がある。
【００４２】
（ケースの構成及び作用）
次に、第１実施形態による防災用具１０を収容可能なケースの構成及び作用を説明する。図６は、第１実施形態による防災用具を収容可能なケースの斜視図である。
【００４３】
図６を参照すると、実施形態によるケース７は、四つの第１金属板１ａ・１ｂ・１ｃ・１ｄを積み重ねた状態で（図３参照）、防災用具１０を専用に収容できる。ケース７は、例えば、合成樹脂で有底の箱状に成形され、一端側を開口している。又、ケース７は、円弧状の切り欠き７０を一方の側面の上部に有している。更に、ケース７は、他方の底面に専用のケースであることを明示する表示７１を設けている。
【００４４】
図６を参照して、第１取っ手３を備えた第１金属板１ａ（図２参照）が切り欠き７０側に位置するように、防災用具１０をケース７に収容しておくことが好ましい。そして、第１取っ手３を把持して引き出すと、図２に示されるように、防災用具１０が直ちに展開された状態になり、使用できる。
【００４５】
図６を参照して、防災用具１０をケース７に収容した状態で、ケース７を背負いカバンに収容しておくことが好ましく、背中に対向するようにケース７を収容しておくことにより、防災用具１０が介在されて、落下物から背中を保護できる。
【００４６】
図６を参照して、面ファスナ付きの結束用バンド（図示せず）を用いて、四つの第１金属板１ａ・１ｂ・１ｃ・１ｄが積み重なるように結束してもよく、防災用具１０を整頓した状態で、ケース７に収容できる。面ファスナ付きの結束用バンド（図示せず）で結束された防災用具１０をカバンに収容してもよい。
【００４７】
［第２実施形態］
（防災用具の構成）
次に、本発明の第２実施形態による防災用具の構成を説明する。
【００４８】
図７は、本発明の第２実施形態による防災用具の使用状態を示す斜視図である。図８は、第２実施形態による防災用具の斜視図であり、四つの第１金属板を展開して一列に垂下した状態図である。なお、第１実施形態で用いた符号と同じ符号を有する構成品は、その作用を同じにするので以下の説明では割愛する場合がある。
【００４９】
図７又は図８を参照すると、本発明の第２実施形態の変形例による防災用具２００は、四つの略矩形の第１金属板１ａ・１ｂ・１ｃ・１ｄを備えている。これらの第１金属板１ａ・１ｂ・１ｃ・１ｄは、人間Ｍの頭部Ｈを十分に覆う程度の面積を有している（図７参照）。そして、図３を参照すると、第１金属板１ａ・１ｂ・１ｃ・１ｄは、周囲が相互にはみ出さないように重ね合わせできる。
【００５０】
図７又は図８を参照すると、防災用具２００は、一対の屈曲自在な紐状部材２・２を備えている。一対の紐状部材２・２は、先頭の第１金属板１ａから末端の第１金属板１ｄを平面上に同列に展開したときに、先頭側の第１金属板１ａの端縁部が末端側の第１金属板１ｄの端縁部の上に重なるように、四つの第１金属板１ａ・１ｂ・１ｃ・１ｄを繋留している。
【００５１】
図７又は図８を参照すると、防災用具２００は、先頭の第１金属板１ａの中央部に取り付けられた屈曲自在な顎紐２１を備えている。例えば、顎紐２１は、複数のアルミニウム線が筒状に織られた後に平坦に成形された編組線からなり、長手方向に屈曲して折り畳むことができる。顎紐２１は、引き延ばした状態で顎部Ｊに係止できる。又、顎紐２１の両端部は、先頭の第１金属板１ａにスポット溶接されている。
【００５２】
図７又は図８を参照すると、防災用具２００は、一対の屈曲自在な肩掛け紐２２・２２を備えている。これらの肩掛け紐２２・２２は、先頭の第１金属板１ａから末端の第１金属板１ｄを平面上に同列に展開したときに、両肩Ｓに対向する第１金属板１ｃに取り付けられている。例えば、肩掛け紐２２は、複数のアルミニウム線が筒状に織られた後に平坦に成形された編組線からなり、クランク状に屈曲して折り畳むことができる（図８参照）。一対の肩掛け紐２２・２２は、引き延ばした状態で両肩Ｓに掛止できる。
【００５３】
（防災用具の作用）
次に、防災用具２００の使用方法を説明しながら、第２実施形態による防災用具２００の作用及び効果を説明する。
【００５４】
図４を援用して、四つの第１金属板１ａ・１ｂ・１ｃ・１ｄを展開して互いに離間した状態から、第１金属板１ａ・１ｂ・１ｃ・１ｄの間にある一対の紐状部材２・２をＶ字状に屈曲して、第１金属板１ａ・１ｂ・１ｃ・１ｄを互いに近接すると、第１金属板１ａ・１ｂ・１ｃ・１ｄの周囲が相互にはみ出さないように、平坦に重ね合わせできる（図３参照）。そして、所持品と共に図示しないカバンなどに防災用具２００を容易に収納できる。
【００５５】
例えば、通勤又は通学などで屋外に居たときに、大地震に遭遇した場合は、先頭の第１金属板１ａに設けた顎紐２１を把持して、引き上げることにより、先頭側の第１金属板の端縁部が末端側の第１金属板の端縁部の上に重なるように、直ちに展開できる（図８参照）。
【００５６】
次に、図７を参照して、顎紐２１を顎部Ｊに係止して先頭の第１金属板１ａを頭部Ｈに搭載すると、第１金属板１ａが付近の建物から落下してくる破片から頭部Ｈを保護できる。又、第１金属板１ａが自重で湾曲した部分が首部Ｎを保護できる。更に、先頭の第１金属板１ａに繋留された次の第１金属板１ｂから末端の第１金属板１ｄに亘り、背中Ｂを覆うように垂下できる。又、一対の肩掛け紐２２・２２を両肩Ｓに掛止することで、第１金属板１ｃ・１ｄを背中Ｂから離反することを防止できる。
【００５７】
図７又は図８を参照すると、第２実施形態による防災用具２００は、第１実施形態による防災用具１０と同様な効果を奏するが、複数の第１金属板１ａ・１ｂ・１ｃ・１ｄを身体に確実に装着できるというメリットがある。
【００５８】
［第３実施形態］
（防災用具の構成）
次に、本発明の第３実施形態による防災用具の構成を説明する。
【００５９】
図９は、本発明の第３実施形態による防災用具の斜視図であり、四つの強化プラスチック板を展開して一列に垂下した状態図である。図１０は、第３実施形態による防災用具の斜視図であり、四つの強化プラスチック板を展開して互いに離間した状態図である。
【００６０】
図１１は、第３実施形態による防災用具の斜視図であり、四つの強化プラスチック板を展開して一列に垂下した状態を図９と異なる方向から観ている。なお、第１実施形態及び第２実施形態で用いた符号と同じ符号を有する構成品は、その作用を同じにするので以下の説明では割愛する場合がある。
【００６１】
図９から図１１を参照すると、本発明の第３実施形態による防災用具３００は、四つの略矩形の強化プラスチック板３ａ・３ｂ・３ｃ・３ｄを備えている。これらの強化プラスチック板３ａ・３ｂ・３ｃ・３ｄは、人間Ｍの頭部Ｈを十分に覆う程度の面積を有している（図１参照）。例えば、図１０を参照すると、強化プラスチック板３ａ・３ｂ・３ｃ・３ｄは、幅Ｗ×高さＨ＝約３６ｃｍ×約２８ｃｍの長方形に形成されている。そして、図３を援用すると、強化プラスチック板３ａ・３ｂ・３ｃ・３ｄは、周囲が相互にはみ出さないように重ね合わせできる。
【００６２】
図９から図１１を参照すると、強化プラスチック板３ａ・３ｂ・３ｃ・３ｄは、その一方の面に緩衝板３１ａ・３１ｂ・３１ｃ・３１ｄを貼着している。緩衝板３１ａ・３１ｂ・３１ｃ・３１ｄは、強化プラスチック板３ａ・３ｂ・３ｃ・３ｄの周囲からはみ出さないように貼着されている。緩衝板３１ａ・３１ｂ・３１ｃ・３１ｄは、浮力を有する発泡スチロールなどを用いることが好ましい。
【００６３】
図９又は図１０を参照すると、防災用具３００は、一対の屈曲自在な紐状部材２・２を備えている。一対の紐状部材２・２は、先頭の強化プラスチック板３ａ及び緩衝板３１ａから末端の強化プラスチック板３ｄ及び緩衝板３１ｄを平面上に同列に展開したときに、先頭側の緩衝板３１ａの端縁部が末端側の強化プラスチック板３ｄの端縁部の上に重なるように、四つの強化プラスチック板３ａ・３ｂ・３ｃ・３ｄを繋留している。
【００６４】
図９又は図１０を参照すると、各強化プラスチック板３ａ・３ｂ・３ｃ・３ｄには、短冊状の止め板１１がリベットでカシメ付けられている。一対の紐状部材２・２は、各強化プラスチック板３ａ・３ｂ・３ｃ・３ｄと止め板１１に挟持されて繋留（部分的に固定）されている。止め板１１と反対側の各強化プラスチック板３ａ・３ｂ・３ｃ・３ｄの面にリベットの頭部が突出しないように、枕頭カシメ付けすることが好ましい。
【００６５】
図９又は図１０を参照すると、防災用具３００は、先頭の強化プラスチック板３ａの端部に取り付けられた第２取っ手３１を備えている。例えば、第２取っ手３１は、複数の合成樹脂繊維が筒状に織られた後に平坦に成形された編組線からなり、長手方向に屈曲できる。第２取っ手３１は、その中央部が片手で把持できるように、円弧状に湾曲している。又、第２取っ手３１の両端部は、先頭の強化プラスチック板３ａに熱溶着されている。
【００６６】
図１を援用して、先頭の強化プラスチック板３ａは、第２取っ手３１を把持して、先頭の緩衝板３１ａを頭部Ｈに搭載したときに、第２取っ手３１と反対側が首部Ｎを覆うように自重で撓む程度の弾性板からなることが好ましく、例えば、この弾性板は、ボロン繊維強化プラスチック（ＢＦＰＲ）板を適用できる。図９又は図１０を参照して、先頭の緩衝板３１ａには、頭部Ｈに載置可能な窪み部３１０を有することが好ましい。
【００６７】
（防災用具の作用）
次に、防災用具３００の使用方法を説明しながら、第３実施形態による防災用具３００の作用及び効果を説明する。
【００６８】
図１０に示されるように、四つの強化プラスチック板３ａ・３ｂ・３ｃ・３ｄを展開して互いに離間した状態から、強化プラスチック板３ａ・３ｂ・３ｃ・３ｄ及び緩衝板３１ａ・３１ｂ・３１ｃ・３１ｄの間にある一対の紐状部材２・２をＶ字状に屈曲して、第１金属板１ａ・１ｂ・１ｃ・１ｄを互いに近接すると、強化プラスチック板３ａ・３ｂ・３ｃ・３ｄの周囲が相互にはみ出さないように、平坦に重ね合わせできる。そして、所持品と共に図示しないカバンなどに防災用具１０を容易に収納できる。
【００６９】
例えば、通勤又は通学などで屋外に居たときに、大地震に遭遇した場合は、先頭の強化プラスチック板３ａに設けた第２取っ手３１を把持して、引き上げることにより、先頭側の緩衝板の端縁部が末端側の強化プラスチック板の端縁部の上に重なるように、直ちに展開できる（図９又は図１１参照）。
【００７０】
次に、図９を参照して、第２取っ手３１を把持して先頭の緩衝板３１ａを頭部Ｈに搭載すると、強化プラスチック板３ａが付近の建物から落下してくる破片から頭部Ｈを保護できる。又、強化プラスチック板３ａが自重で湾曲した部分が首部Ｎを保護できる。更に、先頭の強化プラスチック板３ａに繋留された次の強化プラスチック板３ｂから末端の強化プラスチック板３ｄに亘り、背中Ｂを覆うように垂下できる。
【００７１】
図９に示されるように、第３実施形態による防災用具３００は、先頭側の緩衝板の端縁部が末端側の強化プラスチック板の端縁部の上に重なるように、展開できるので微細な落下物が身体（衣服を含む）側に進入しないという利点がある。
【００７２】
図９から図１１を参照すると、第３実施形態による防災用具３００は、強化プラスチック板３ａ・３ｂ・３ｃ・３ｄの一方の面に緩衝板３１ａ・３１ｂ・３１ｃ・３１ｄを貼着しているので、落下物の衝撃を緩和できる。
【００７３】
図９から図１１を参照すると、第３実施形態による防災用具３００は、強化プラスチック板３ａ・３ｂ・３ｃ・３ｄの一方の面に浮力を有する緩衝板３１ａ・３１ｂ・３１ｃ・３１ｄを貼着しているので、水に浮くことができ、津波などによる紛失を防止できる。
【００７４】
図９又は図１０に示された第２取っ手３１に換えて、先頭の強化プラスチック板３ａに顎紐２１を取り付けてもよく、強化プラスチック板３ｃに一対の肩掛け紐２２・２２を取り付けてもよく（図８参照）、第２実施形態による防災用具２００との相乗効果を期待できる。
【００７５】
［第４実施形態］
（防災用具の構成）
次に、第４実施形態による防災用具の構成を説明する。
【００７６】
図１２は、本発明の第４実施形態による防災用具の使用状態を示す斜視図である。図１３は、第４実施形態による防災用具の斜視図であり、三つの第１金属板を展開して一列に垂下した状態図である。
【００７７】
図１４は、第４実施形態による防災用具の斜視図であり、三つの第１金属板を積み重ねた状態図である。図１５は、第４実施形態による防災用具の斜視図であり、三つの第１金属板を展開して一列に垂下した状態を図１３と異なる方向から観ている。なお、第１実施形態で用いた符号と同じ符号を有する構成品は、その作用を同じにするので以下の説明では割愛する場合がある。
【００７８】
図１２から図１５を参照すると、第４実施形態による防災用具４００は、三つの略矩形の第１金属板１ａ・１ｂ・１ｃを備えている。これらの第１金属板１ａ・１ｂ・１ｃは、人間Ｍの頭部Ｈを十分に覆う程度の面積を有している（図１２参照）。そして、図１４を参照すると、第１金属板１ａ・１ｂ・１ｃは、両側端が相互にはみ出さないように重ね合わせできる。
【００７９】
図１２から図１５を参照すると、防災用具４００は、一対一組のガイドピン２ｐを中間の第１金属板１ｂに設けている。一方の一対のガイドピン２ｐ・２ｐは、中間の第１金属板１ｂの一方の端部側に設けている。他方の一対のガイドピン２ｐ・２ｐは、中間の第１金属板１ｂの他方の端部側に設けている。
【００８０】
図１２から図１４を参照すると、防災用具４００は、先頭の第１金属板１ａの端部に取り付けられた第１取っ手３を備えている。又、先頭の第１金属板１ａは、略平行に延びる一対の長穴２ｈ・２ｈを両翼に開口している。同様に、末端の第１金属板１ｃは、略平行に延びる一対の長穴２ｈ・２ｈを両翼に開口している。
【００８１】
図１２から図１５を参照すると、一方の一対のガイドピン２ｐ・２ｐは、鍔部（フランジ部）を設けて、先頭の第１金属板１ａが離間しないように連結している。図１３又は図１５を参照すると、一方の一対のガイドピン２ｐ・２ｐは、先頭の第１金属板１ａと中間の第１金属板１ｂを平面上に同列に展開したときに、先頭の第１金属板１ａの端縁部が中間の第１金属板１ｂの端縁部の上に重なるように、先頭の第１金属板１ａを連結している。
【００８２】
図１２から図１５を参照すると、他方の一対のガイドピン２ｐ・２ｐは、鍔部（フランジ部）を設けて、末端の第１金属板１ｃが離間しないように連結している。図８又は図１０を参照すると、他方の一対のガイドピン２ｐ・２ｐは、中間の第１金属板１ｂと末端の第１金属板１ｃを平面上に同列に展開したときに、中間の第１金属板１ｂの端縁部が末端の第１金属板１ｃの端縁部の上に重なるように、末端の第１金属板１ｃを連結している。
【００８３】
図１２を参照すると、先頭の第１金属板１ａは、第１取っ手３を把持して、先頭の第１金属板１ａを頭部Ｈに搭載したときに、第１取っ手３と反対側が首部Ｎを覆うように自重で撓む程度の弾性板からなることが好ましく、例えば、この弾性板は、アルミニウム板を適用できる。
【００８４】
一方、図１３から図１５を参照すると、先頭の第１金属板１ａに連結した第１金属板１ｂ・１ｃは、硬質で軽量の剛性板からなることが好ましく、例えば、この剛性板は、ジュラルミン板を適用できる。
【００８５】
（防災用具の作用）
次に、防災用具４００の使用方法を説明しながら、第１実施形態の変形例による防災用具１００の作用及び効果を説明する。
【００８６】
図１３又は図１５に示されるように、三つの第１金属板１ａ・１ｂ・１ｃを展開して互いに離間した状態から、第１金属板１ｂに対して、第１金属板１ａ・１ｃを互いに近接すると、一対の長穴２ｈ・２ｈに案内されて、第１金属板１ａ・１ｃを平行移動できる。そして、図１４に示されるように、第１金属板１ａ・１ｂ・１ｃの両側縁が相互にはみ出さないように、平坦に重ね合わせできる。そして、所持品と共に図示しないカバンなどに防災用具１００を容易に収納できる。
【００８７】
図１２から図１５を参照すると、第４実施形態による防災用具４００は、第１実施形態による防災用具１０と同様な効果を奏するが、第１金属板１ｂに対して、第１金属板１ａ・１ｃを確実に平行移動できるというメリットがある。
【００８８】
［第５実施形態］
（防災用具の構成）
次に、本発明の第５実施形態による防災用具の構成を説明する。
【００８９】
図１６は、本発明の第５実施形態による防災用具の使用状態を示す斜視図である。図１７は、第５実施形態による防災用具の斜視図であり、四つの第２金属板を展開して十字状に配置した状態図である。図１８は、第５実施形態による防災用具の斜視分解組立図であり、四つの第２金属板を展開して十字状に配置した状態図である。図１９は、第５実施形態による防災用具の斜視図であり、四つの第２金属板を積み重ねた状態図である。
【００９０】
図１６から図１９を参照すると、本発明の第５実施形態による防災用具２０は、四つの帯状の第２金属板４ａ・４ｂ・４ｃ・４ｄを備えている。これらの第２金属板４ａ・４ｂ・４ｃ・４ｄは、児童Ｃの頭部Ｈを覆う程度の幅Ｗを有している（図１６参照）。図１９を参照すると、例えば、第２金属板４ａ・４ｂ・４ｃ・４ｄは、「Ａ４」程度の大きさ（幅Ｗ×高さＨ＝２１０ｍｍ×２９７ｍｍ）に形成されている。そして、図１９を参照すると、第２金属板４ａ・４ｂ・４ｃ・４ｄは、周囲が相互にはみ出さないように重ね合わせできる。
【００９１】
図１６から図１９を参照すると、防災用具２０は、第２金属板４ａ・４ｂ・４ｃ・４ｄの端部同士を回転自在に連結する連結ピン５を備えている。連結ピン５を中心に第２金属板４ａ・４ｂ・４ｃ・４ｄを閉じて、第２金属板４ａ・４ｂ・４ｃ・４ｄの周囲が相互にはみ出さないように重ね合わせできる（図１９参照）。一方、連結ピン５を中心に第２金属板４ａ・４ｂ・４ｃ・４ｄを開いて、第２金属板４ａ・４ｂ・４ｃ・４ｄを十字状に展開できる（図１６又は図１７参照）。
【００９２】
図１７又は図１９を参照すると、防災用具２０は、最上層の第２金属板４ａの端部に取り付けられた屈曲自在な第３取っ手６を備えている。例えば、第３取っ手６は、複数のアルミニウム線が筒状に織られた後に平坦に成形された編組線からなり、長手方向に屈曲できる。第３取っ手６は、その中央部が片手で把持できるように、円弧状に湾曲している。又、第３取っ手６の両端部は、最上層の第２金属板４ａにスポット溶接されている。
【００９３】
図１６を参照すると、第３取っ手６を把持して、連結ピン５が頭部Ｈの略中心に位置するように、四つの第２金属板４ａ・４ｂ・４ｃ・４ｄを十字状に展開して頭部Ｈに搭載したときに、中間の一対の第２金属板４ｂ・４ｄが両肩を覆う程度の長さを有している（図１７参照）。そして、最上層の第２金属板４ａと相反する向きに向かう第２金属板４ｃが首部Ｎ及び背中Ｂを覆うことができる。
【００９４】
図１６又は図１７を参照して、最上層の第２金属板４ａは、第３取っ手６を把持して、四つの第２金属板４ａ・４ｂ・４ｃ・４ｄを十字状に展開したときに、最上層以外の第２金属板４ｂ・４ｃ・４ｄの重量で撓む程度の弾性板からなることが好ましく、例えば、この弾性板は、アルミニウム板を適用できる。
【００９５】
一方、図１６から図１９を参照すると、最上層以外の第２金属板４ｂ・４ｃ・４ｄは、硬質で軽量の剛性板からなることが好ましく、例えば、この剛性板は、ジュラルミン板を適用できる。
【００９６】
図１６から図１９を参照すると、防災用具２０は、四つの第２金属板４ａ・４ｂ・４ｃ・４ｄを十字状に展開した状態を維持するために、半球状に隆起した突起４１ｂと、突起４１ｂが嵌合可能な係止穴４１ｈを有している。
【００９７】
図１８を参照すると、第２金属板４ｂは、第２金属板４ａに向かって隆起した突起４１ｂを有している。図１４に示された状態から、第２金属板４ｂを時計方向に回動すると、第２金属板４ｂに設けた突起４１ｂが、第２金属板４ａに開口した係止穴４１ｈに嵌合して、第２金属板４ａと第２金属板４ｂの直交状態を維持できる。
【００９８】
更に、図１８を参照して、第２金属板４ｃは、第２金属板４ｂに向かって隆起した突起４１ｂを有している。第２金属板４ｂに対して、第２金属板４ｃを時計方向に回動すると、第２金属板４ｃに設けた突起４１ｂが、第２金属板４ｂに開口した係止穴４１ｈに嵌合して、第２金属板４ｂと第２金属板４ｃの直交状態を維持できる。
【００９９】
又、図１８を参照して、第２金属板４ｄは、第２金属板４ｃに向かって隆起した突起４１ｂを有している。第２金属板４ｃに対して、第２金属板４ｄを時計方向に回動すると、第２金属板４ｄに設けた突起４１ｂが、第２金属板４ｃに開口した係止穴４１ｈに嵌合して、第２金属板４ｃと第２金属板４ｄの直交状態を維持できる。
【０１００】
このように、防災用具２０は、突起４１ｂと係止穴４１ｈが嵌合して、四つの第２金属板４ａ・４ｂ・４ｃ・４ｄを十字状に展開した状態を維持できる（図１６又は図１７参照）。一方、第２金属板４ａに対して、第２金属板４ｂ・４ｃ・４ｄを反時計方向に回動して折り畳むこともできる（図１９参照）。
【０１０１】
（防災用具の作用）
次に、防災用具２０の使用方法を説明しながら、第５実施形態による防災用具２０の作用及び効果を説明する。
【０１０２】
図１６に示されるように、四つの第２金属板４ａ・４ｂ・４ｃ・４ｄを十字状に展開した状態から、第２金属板４ａ・４ｂ・４ｃ・４ｄを閉じると、図１９に示されるように、第２金属板４ａ・４ｂ・４ｃ・４ｄは、周囲が相互にはみ出さないように平坦に重ね合わせできるので、図書と共に図示しないランドセルに容易に収納できる。
【０１０３】
例えば、通学などで屋外に居たときに、大地震に遭遇した場合は、第２金属板４ａ・４ｂ・４ｃ・４ｄを直ちに十字状に展開することが好ましく（図１６参照）、最上層の第２金属板４ａの端部に設けた第３取っ手６を把持して、防災用具２０の中心部を頭Ｈに搭載すると、最上層の第２金属板４ａが付近の建物から落下してくる破片から頭部Ｈを保護できる。又、最上層の第２金属板４ａと相反する向きに向かう第２金属板４ｃが首部Ｎ及び背中Ｂを覆うことができる。更に、中間の一対の第２金属板４ｂ・４ｄが両肩Ｓを覆うことにより、両肩Ｓを保護できる。
【０１０４】
図１７を参照して、第３取っ手６は、連結ピン５と反対側に配置され、最上層の第２金属板４ａと相反する向きに向かう第２金属板４ｃの端部に取り付けてもよい。この場合、第３取っ手６は、第２金属板４ｂと第２金属板４ｃの間に挟まれるので、四つの第２金属板４ａ・４ｂ・４ｃ・４ｄを十字状に展開する操作に多少時間を要するが、第２金属板４ｃが第２金属板４ａの上に重なるので、微細な落下物が身体（衣服を含む）側に進入しないという利点がある。
【０１０５】
図１９を参照すると、防災用具２０は、第２金属板４ａ・４ｂ・４ｃ・４ｄの周囲が相互にはみ出さないように、平坦に重ね合わせできるので、ランドセルに容易に収納できるが、非常時に対応できることを意識できるように、防災用具２０を専用のケース、又は専用の袋（バッグ）に収納して携帯してもよい。
【０１０６】
第１実施形態による防災用具１０は、成人に好適な実施形態を開示したが、第１金属板の個数や大きさを工夫することにより、身体が発達途上の児童に適用することもできる。一方、第２実施形態による防災用具２０は、身体が発達途上の児童に好適な実施形態を開示したが、第２金属板の形状や大きさを工夫することにより、成人に適用することもできる。
【０１０７】
図１を参照して、先頭の第１金属板１ａには、頭部Ｈが当接する面にクッション材（図示せず）を貼り付けておくことが好ましく、頭部Ｈへの違和感を緩和すると共に、落下物の衝撃を緩和できる。同様に、図１６を参照して、先頭の第２金属板４ａには、頭部Ｈが当接する面にクッション材（図示せず）を貼り付けておくことが好ましく、頭部Ｈへの違和感を緩和すると共に、落下物の衝撃を緩和できる。
【０１０８】
［第６実施形態］
（防災用具の構成）
次に、第６実施形態による防災用具の構成を説明する。
【０１０９】
図２０は、本発明の第６実施形態による防災用具の使用状態を示す斜視図である。図２１は、第６実施形態による防災用具の斜視図であり、中央板に対して、一対の第１開閉板、第２開閉板、及びスライド板を開いて十字状に配置した状態図である。
【０１１０】
図２２は、第６実施形態による防災用具の平面図であり、中央板に対して、一対の第１開閉板、第２開閉板、及びスライド板を開いて十字状に配置した状態図である。図２３は、図２２のＸ−Ｘ矢視断面図である。
【０１１１】
図２４は、第６実施形態による防災用具に備わる中央板に対して、一対の第１開閉板、第２開閉板、及びスライド板を閉じた状態図であり、図２４（Ａ）は、第６実施形態による防災用具の平面図、図２４（Ｂ）は、第６実施形態による防災用具の正面図、図２４（Ｃ）は、第６実施形態による防災用具の下面図である。
【０１１２】
図２０から図２４を参照すると、本発明の第６実施形態による防災用具６０は、矩形の中央板６１、一対の矩形の第１開閉板６２・６２、及び矩形の第２開閉板６３を備えている。中央板６１は、首部Ｎを覆う程度の面積を有している（図２０参照）。
【０１１３】
一対の第１開閉板６２・６２は、中央板６１の両翼に開閉自在に連結している（図２１又は図２２参照）。一対の第１開閉板６２・６２は、中央板６１から周囲がはみ出さないように、中央板６１に重ね合わせできる（図２４参照）。又、図２０を参照すると、一対の第１開閉板６２・６２は、中央板６１に対して開いた状態では、両肩Ｓを覆う程度の面積を有している。
【０１１４】
第２開閉板６３は、中央板６１の一方の端部に開閉自在に連結している（図２１又は図２２参照）。第２開閉板６３は、中央板６１から周囲がはみ出さないように、中央板６１に重ね合わせできる（図２４参照）。又、図２０を参照すると、第２開閉板６３は、中央板６１に対して開いた状態では、背中Ｂを部分的に覆う程度の面積を有している。
【０１１５】
図２０から図２４を参照すると、防災用具６０は、複数のストッパ７ｓ付きスプリング蝶番７ｈを備えている。スプリング蝶番７ｈは、一対の支承板が回転自在に連結している。スプリング蝶番７ｈは、一対の支承板の連結部にねじりコイルばねを取り付けている。ねじりコイルばねは、一対の支承板が開く方向に力を付勢している。一方の支承板は、その一部が他方の支承板の背面に突出したストッパ７ｓとなっており、一対の支承板を水平状態に維持できる。ストッパ付きスプリング蝶番は、市販品を使用できる。
【０１１６】
図２０から図２４を参照すると、一組のスプリング蝶番７ｈ・７ｈは、中央板６１と第１開閉板６２を連結している。これらのスプリング蝶番７ｈ・７ｈは、中央板６１に対して第１開閉板６２が開く力を付勢している。又、一組のスプリング蝶番７ｈ・７ｈは、中央板６１と同じ平面になるように、一対の第１開閉板６２・６２が略水平に開いた状態を維持できる。
【０１１７】
図２０から図２４を参照すると、一組のスプリング蝶番７ｈ・７ｈは、中央板６１と第２開閉板６３を連結している。これらのスプリング蝶番７ｈ・７ｈは、中央板６１に対して第２開閉板６３が開く力を付勢している。又、一組のスプリング蝶番７ｈ・７ｈは、中央板６１と同じ平面になるように、第２開閉板６３が略水平に開いた状態を維持できる。
【０１１８】
図２０から図２４を参照すると、防災用具６０は、矩形のスライド板６４を備えている。スライド板６４は、中央板６１の他方の端部に回転自在及びスライド自在に連結している。スライド板６４は、頭部Ｈを覆う程度の面積を有している（図２０参照）。なお、中央板６１、一対の第１開閉板６２・６２、及び第２開閉板６３は、ジュラルミン板などの金属板で構成してもよく、強化プラスチック板で構成してもよい。
【０１１９】
図２１から図２４を参照すると、中央板６１は、一対の円柱状の案内部材６１ａ・６１ａと案内部材６１ａを回転自在に支持する支持片６１ｂを他方の端部に有している。一対の案内部材６１ａ・６１ａは、スライド板６４の両側縁をスライド可能に案内する溝６１１を設けている。一対の支持片６１ｂ・６１ｂは、一対の案内部材６１ａ・６１ａを対向するよう配置している。
【０１２０】
図２１から図２４を参照すると、スライド板６４は、停止片６４ａと第４取っ手８を有している。停止片６４ａは、一方に端部が湾曲するように形成されている。一対の案内部材６１ａ・６１ａに対して、スライド板６４をスライドすると、停止片６４ａが一対の案内部材６１ａ・６１ａに当接して移動が停止される。
【０１２１】
図２１から図２４を参照すると、第４取っ手８は、スライド板６４の他方の端部に取り付けられている。第４取っ手８は、その中央部が片手で把持できるように、円弧状に湾曲している。
【０１２２】
図２１から図２４を参照すると、第２開閉板６３は、ラチェット部材６３ａを第１開閉板６２と当接する反対面に有している。ラチェット部材６３ａは、スライド板６４の板厚程度の間隙を設けている。スライド板６４は、他方の端部から突出し、ラチェット部材６３ａに挿入可能なロック片６４ｂを有している。
【０１２３】
図２４を参照して、第２開閉板６３が一対の第１開閉板６２・６２の上に重なるように第２開閉板６３を閉じた状態で、第４取っ手８を把持して、スライド板６４が第２開閉板６３に重なるように回動すると共に、スライド板６４をスライドして、ロック片６４ｂをラチェット部材６３ａに係止できる。
【０１２４】
（防災用具の作用）
次に、防災用具６０の使用方法を説明しながら、第６実施形態による防災用具６０の作用及び効果を説明する。
【０１２５】
図２０から図２２に示されるように、中央板６１に対して、一対の第１開閉板６２・６２、第２開閉板６３、及びスライド板６４が十字状に展開した状態から、スライド板６４を第２開閉板６３に係止すると、図２４に示すように、防災用具６０は、周囲が相互に殆んどはみ出さないように、平坦に重ね合わせできるので、図書と共に図示しないランドセルに容易に収納できる。
【０１２６】
次に、防災用具６０の折り畳み手順を説明する。最初に、図２１又は図２２に示された状態から、一対の第１開閉板６２・６２を中央板６１の上に重なるように閉じる。次に、第２開閉板６３を第１開閉板６２の上に重なるように閉じる。そして、第２開閉板６３を手で押さえつけておく。
【０１２７】
次に、図２３を参照して、第４取っ手８を把持して、スライド板６４を時計方向に回動すると共に、停止片６４ａが案内部材６１ａから離間するように、スライド板６４をスライドする。次に、スライド板６４を第２開閉板６３に当接して、第４取っ手８を把持して、スライド板６４をラチェット部材６３ａに向かって移動すると、ロック片６４ｂをラチェット部材６３ａに係止できる（図２４参照）。
【０１２８】
防災用具６０を使用する場合は、図２４に示された状態から、第４取っ手８を把持して、スライド板６４をラチェット部材６３ａから離れる方向に移動すると共に、図２３に示すように、スライド板６４を中央板６１に対して略１８０度以上の所定の角度に開くことで、中央板６１に対して、一対の第１開閉板６２・６２と第２開閉板６３を自動的に開くことができる。
【０１２９】
次に、図２０を参照して、第４取っ手８を把持して、スライド板６４を頭部Ｈに搭載すると、スライド板６４が付近の建物から落下してくる破片から頭部Ｈを保護できる。この場合、スライド板６４に対して中央板６１が所定の角度で傾斜しているので（図２３参照）、中央板６１及び第２開閉板６３が首部Ｎ及び背中Ｂを覆うことができる。更に、一対の第１開閉板６２・６２が両肩Ｓを覆うことにより、両肩Ｓを保護できる。
【０１３０】
第６実施形態による防災用具６０は、第５実施形態による防災用具２０と同様な効果を奏するが、中央板６１に対して、一対の第１開閉板６２・６２、第２開閉板６３、及びスライド板６４を素早く十字状に展開でき、緊急の防災に役立てることができる。
【０１３１】
本発明による防災用具は、地震などの非常時に、複数の金属板を展開して、建築材の破片などの落下物から頭部及び背中を保護するのに好適であるが、突発的な火災に伴って落下してくる火炎粒から頭部及び背中を保護することもでき、用途は限定されない。
【符号の説明】
【０１３２】
１ａ・１ｂ・１ｃ・１ｄ  第１金属板
２  紐状部材
３  第１取っ手
１０  防災用具
Ｂ  背中
Ｈ  頭部
Ｎ  首部
【図１】
0005177604.tif 000002
【図２】
0005177604.tif 000003
【図３】
0005177604.tif 000004
【図４】
0005177604.tif 000005
【図５】
0005177604.tif 000006
【図６】
0005177604.tif 000007
【図７】
0005177604.tif 000008
【図８】
0005177604.tif 000009
【図９】
0005177604.tif 000010
【図１０】
0005177604.tif 000011
【図１１】
0005177604.tif 000012
【図１２】
0005177604.tif 000013
【図１３】
0005177604.tif 000014
【図１４】
0005177604.tif 000015
【図１５】
0005177604.tif 000016
【図１６】
0005177604.tif 000017
【図１７】
0005177604.tif 000018
【図１８】
0005177604.tif 000019
【図１９】
0005177604.tif 000020
【図２０】
0005177604.tif 000021
【図２１】
0005177604.tif 000022
【図２２】
0005177604.tif 000023
【図２３】
0005177604.tif 000024
【図２４】
0005177604.tif 000025